(57)【要約】【課題】  温度特性抵抗素子に不良品が混ざっていても安全に使用できる電球形蛍光ランプを提供することを目的とする。【解決手段】  内面に蛍光体層が形成されており、放電媒体が封入された発光管１と；この発光管を保持するとともに口金３が取り付けられたカバー体２と；前記発光管１を点灯させる点灯回路５、自己発熱に伴う温度上昇に応じて抵抗値が増加する温度特性抵抗素子７およびこの温度特性抵抗素子７の異常発熱時に前記温度特性抵抗素子７を前記点灯回路５から切り離すように動作する接続切断手段１２を有し、前記カバー体２内に収容された点灯装置１０と；を具備している。接続切断手段１２は、温度特性抵抗素子７が異常発熱によって温度上昇すると温度特性抵抗素子７を点灯回路５から切り離すように動作するので、点灯は継続しながら温度特性抵抗素子７がそれ以上発熱することを防ぐ。【選択図】図１
2007095475.tif 000002
【特許請求の範囲】
【請求項１】
内面に蛍光体層が形成されており、放電媒体が封入された発光管と；
この発光管を保持するとともに口金が取り付けられたカバー体と；
前記発光管を点灯させる点灯回路、前記点灯回路に接続され自己発熱に伴う温度上昇に応じて抵抗値が増減する温度特性抵抗素子およびこの温度特性抵抗素子の異常発熱時に前記温度特性抵抗素子を前記点灯回路から切り離すように動作する接続切断手段を有し、前記カバー体内に収容された点灯装置と；
を具備したことを特徴とする電球形蛍光ランプ。
【請求項２】
前記接続切断手段は、前記温度特性抵抗素子から導出された第１のリード線および前記第１のリード線と前記点灯回路を接続する第２のリード線の間を接続し、かつ１３０℃〜３００℃の温度で溶融する接着材であることを特徴とする請求項１記載の電球形蛍光ランプ。
【請求項３】
前記温度特性抵抗素子から接着材までの長さが１０ｍｍ以内であることを特徴とする請求項２記載の電球形蛍光ランプ。  
【請求項４】
前記接続切断手段は、前記温度特性抵抗素子の異常発熱時に発生する熱によって変形し、前記温度特性抵抗素子を前記点灯回路から切り離す動作をするように前記点灯装置に配設された変形部材であることを特徴とする請求項１記載の電球形蛍光ランプ。
【請求項５】
前記接続切断手段は、前記温度特性抵抗素子と直列に接続され、前記温度特性抵抗素子の異常発熱時に発生する熱によって非導通となる温度ヒューズであることを特徴とする請求項１記載の電球形蛍光ランプ。
【請求項６】
内面に蛍光体層が形成されており、放電媒体が封入された発光管と；
この発光管を保持するとともに口金が取り付けられたカバー体と；
前記発光管を点灯させる点灯回路および自己発熱に伴う温度上昇に応じて抵抗値が増減
する温度特性抵抗素子を有し、この温度特性抵抗素子からの離間寸法が３ｍｍ以内の領域内および温度特性抵抗素子から導出されたリード線の導出長さ１０ｍｍ以内の部位からの離間寸法が３ｍｍ以内の領域内に点灯回路の一部品であって比較的耐熱性の低い回路素子の少なくとも一部が位置するように各素子が配設され、前記カバー体内に収容された点灯装置と；
を具備したことを特徴とする電球形蛍光ランプ。
【請求項７】
内面に蛍光体層が形成されており、放電媒体が封入された発光管と；
この発光管を保持するとともに口金が取り付けられたカバー体と；
前記発光管を点灯させるようにスイッチング動作を行う電界効果トランジスタおよびこの電界効果トランジスタが実装される基板を有しており、前記カバー体内に収容されるとともに、前記発光管を点灯させる点灯回路と；
前記点灯回路の電界効果トランジスタの接続端子に隣接した前記基板位置にリード線が接続されて前記基板に実装されてなる自己発熱に伴う温度上昇に応じて抵抗値が増減する温度特性抵抗素子と；
を具備したことを特徴とする電球形蛍光ランプ。
【発明の詳細な説明】
【技術分野】
【０００１】
本発明は、温度特性抵抗素子を有する電球形蛍光ランプに関する。
【背景技術】
【０００２】
電球形蛍光ランプの点灯装置は、例えばインバータ回路の出力端間にインダクタおよび共振用コンデンサが直列的に接続され、共振用コンデンサと並列的に放電ランプとしての蛍光ランプおよび温度正特性抵抗素子が接続されて構成されている。
【０００３】
この点灯装置は、温度正特性抵抗素子の抵抗値が所定値に上昇するまでの時間は高い始動電圧が発生せず、フィラメント電極を十分に予熱してから高いランプ始動電圧を印加して放電ランプが点灯を開始するように動作する。このため、ランプ始動電圧の印加によってフィラメント電極がスパッタ等によって劣化することが抑制されるので、点滅回数が多くなることによるフィラメント劣化を原因とした短寿命化が防止できる。すなわち、インバータ回路への通電開始直後は、温度正特性抵抗素子の抵抗値が小さく、ランプが始動することがない低い電圧が両フィラメント電極間に印加されつつ予熱電流が各フィラメント電極に流れて各フィラメント電極が予熱される。その後、温度正特性抵抗素子の自己発熱による温度上昇に伴い抵抗値が増加し、共振回路の共振成分が変動することによって共振電圧が上昇していく。そして、十分な熱電子放射が行われる程度に各インバータ回路がフィラメント電極を予熱するのに必要な時間が経過したときに、共振電圧がランプ始動可能な電圧まで上昇するように設計されているので、フィラメント電極が十分予熱されてからランプが始動、点灯することになる。
【０００４】
また、ランプ点灯後には温度正特性抵抗素子にわずかながら不要な電流が流れるが、このわずかな電流も損失につながるため、蛍光ランプが点灯した後は温度正特性抵抗素子に流れる電流を遮断することが好ましい。このため、温度正特性抵抗素子に電圧制限素子を直列に接続し、ランプ点灯後は制限素子が動作して温度特性抵抗素子を非導通状態にする放電ランプの点灯装置の構成が知られている（例えば特許文献１参照）。
【特許文献１】特開２００５−５０８０１号公報
【発明の開示】
【発明が解決しようとする課題】
【０００５】
しかし、温度特性抵抗素子の中には極希ではあるが、発光管を点灯させているときに異常発熱する不良品が混入する可能性がある。この不良品が異常発熱すると、カバー体が加熱され発煙等の不具合を引き起こすことがあるので、万が一このような不良品が混ざっていても安全に使用できる製品を提供する必要がある。
【０００６】
本発明は上記課題に鑑みなされたものであり、温度特性抵抗素子が異常発熱した場合には、発熱が継続しないように前記温度特性抵抗素子を点灯装置に設けることで、不良品が混ざっていても安全に使用できる電球形蛍光ランプを提供することを目的とする。
【課題を解決するための手段】
【０００７】
本発明の電球形蛍光ランプは、内面に蛍光体層が形成されており、放電媒体が封入された発光管と、この発光管を保持するとともに口金が取り付けられたカバー体と、前記発光管を点灯させる点灯回路、前記点灯回路に接続され自己発熱に伴う温度上昇に応じて抵抗値が増減する温度特性抵抗素子およびこの温度特性抵抗素子の異常発熱時に前記温度特性抵抗素子を前記点灯回路から切り離すように動作する接続切断手段を有し、前記カバー体内に収容された点灯装置とを具備したことを特徴とする。
【０００８】
また、前記接続切断手段は前記温度特性抵抗素子から導出された第１のリード線および前記第１のリード線と前記点灯回路を接続する第２のリード線の間を接続し、かつ１３０から３００℃の温度で溶融する接着材であってもよい。温度特性抵抗素子は異常発熱時に３００℃以上温度上昇することが実験によって確かめられており、１３０〜３００℃の融点を持つ接着材を用いれば本発明の目的を達成することができる。このとき、温度特性抵抗素子から接着材までの長さは１０ｍｍ以内であることが好ましい。温度特性抵抗素子の異常発熱時に発生する熱は、温度特性抵抗素子から導出されるリード線上を１０ｍｍまでの範囲において接着材を溶融するのに十分高い温度に上昇することが実験によって確かめられた。
【０００９】
また、前記温度特性抵抗素子から導出されるリード線を、前記温度特性抵抗素子の異常発熱時に発生する熱によって切り離すように動作をする変形部材であってもよい。
【００１０】
また、前記接続切断手段は前記温度特性抵抗素子と直列に接続され、前記温度特性抵抗素子の異常発熱時に発生する熱によって非導通となる温度ヒューズであってもよい。
【００１１】
さらに、本発明の電球形蛍光ランプは、内面に蛍光体層が形成されており、放電媒体が封入された発光管と、この発光管を保持するとともに口金が取り付けられたカバー体と、前記発光管を点灯させる点灯回路および自己発熱に伴う温度上昇に応じて抵抗値が増減する温度特性抵抗素子を有し、この温度特性抵抗素子からの離間寸法が３ｍｍ以内の領域内および温度特性抵抗素子から導出されたリード線の導出長さ１０ｍｍ以内の部位からの離間寸法が３ｍｍ以内の領域内に点灯回路の一部品であって比較的耐熱性の低い回路素子の少なくとも一部が位置するように各素子が配設され、前記カバー体内に収容された点灯装置とを具備したことを特徴とする。
【００１２】
さらにまた、本発明の電球形蛍光ランプは、内面に蛍光体層が形成されており、放電媒体が封入された発光管とこの発光管を保持するとともに口金が取り付けられたカバー体と前記発光管を点灯させるようにスイッチング動作を行う電界効果トランジスタおよびこの電界効果トランジスタが実装される基板を有しており、前記カバー体内に収容されるとともに、前記発光管を点灯させる点灯回路と前記点灯回路の電界効果トランジスタの接続端子に隣接した前記基板位置にリード線が接続されて前記基板に実装されてなる自己発熱に伴う温度上昇に応じて抵抗値が増減する温度特性抵抗素子とを具備したことを特徴とする。
【００１３】
温度特性抵抗素子は、温度上昇に伴い抵抗値が増加する温度正特性抵抗素子または温度上昇に伴い抵抗値が減少する温度負特性抵抗素子のいずれであってもよい。また、温度特性抵抗素子は点灯回路に接続され、ランプ点灯時にフィラメント予熱を適切に行うように動作させる構成、発光管の寿命末期時のように点灯回路に過電流が流れる場合に回路素子に流れる過電流を減少させ回路素子を保護する構成、点灯回路のスイッチング動作を制御するドライブの回路定数を周囲温度に応じて変化させる構成等、種々目的で使用が可能である。したがって、温度抵抗素子と点灯回路との接続関係は特に限定されない。
【発明の効果】
【００１４】
本発明の電球形蛍光ランプによれば、温度特性抵抗素子と点灯回路との間に接続切断手段が設けられているので、温度特性抵抗素子が異常発熱によって温度上昇すると温度特性抵抗素子が接続切断手段によって点灯回路から切り離され、温度特性抵抗素子がそれ以上発熱することがなく、カバー体等の熱影響を確実に防ぐことができる。
【００１５】
また、接続切断手段に１３０〜３００℃で溶融する接着材を用いることで、温度特性抵抗素子の異常発熱時の温度上昇により温度特性抵抗素子と点灯回路とが簡単な構成により確実に切断できる。温度特性抵抗素子から接着材までの距離を１０ｍｍ以内に配設すれば温度特性抵抗素子を確実に切断できる。
【００１６】
また、接続切断手段に変形部材を用いることによって温度特性抵抗素子から導出されるリード線を切り離すように動作させることができるので、接着材を必要とすることなく簡単な構成で確実に接続を切断することができる。
【００１７】
また、接続切断手段に温度ヒューズを用いれば、所定の温度になれば温度ヒューズが切れるように設定することによって、簡単な構成で確実に接続を切断することができる。
【００１８】
さらに本発明の電球形蛍光ランプによれば、温度特性抵抗素子および温度特性抵抗素子から導出されたリード線の前記温度特性抵抗素子から１０ｍｍ以内の部位から３ｍｍ以内の領域内に点灯回路の一部品であって比較的耐熱性の低い回路素子の少なくとも一部が位置するように各素子が実装されているので、温度特性抵抗素子が異常発熱した時にその異常発熱の熱によって比較的耐熱性の低い回路素子を破壊し、点灯回路の発振を停止させることができ、温度特性抵抗素子がそれ以上温度上昇するのを確実に防ぐことができる。
【００１９】
さらにまた、本発明の電球形蛍光灯ランプによれば、基板に実装され発光管を点灯させるようにスイッチング動作を行う電界効果トランジスタの接続端子に隣接した前期基板位置に前記基板に実装されてなる自己発熱に伴う温度上昇に応じて抵抗値が増減する温度特性抵抗素子のリード線が接続されて、この前記温度特性抵抗素子の異常発熱時に発生する熱が温度特性抵抗素子と電界効果トランジスタとを電気的に接続する導電経路を介して伝わるように配設されているので、温度特性抵抗素子が異常発熱した時に、確実に電界効果トランジスタを破壊し、ランプの発振を停止させることができ、温度特性抵抗素子がそれ以上温度上昇するのを確実に防ぐことができる。
【発明を実施するための最良の形態】
【００２０】
以下、本発明の実施の形態について図面を参照しながら説明する。
【００２１】
図１は、本発明による第１の実施形態の電球形蛍光ランプの構成を示す断面図である。
【００２２】
電球形蛍光ランプ５０は、蛍光ランプとしての発光管１と、この発光管１を保持するカバー体２と、発光管１を覆うように設置され、口金３とともにカバー体２に取り付けられたグローブ４とを備えている。カバー体２の内部には点灯装置１０が配設されている。この点灯装置１０は、点灯回路５、この点灯回路５を構成する回路素子が実装された回路基板６およびこの基板に実装された温度特性抵抗素子７から構成されている。点灯回路５は、比較的耐熱性の高い回路素子８および比較的耐熱性の低い回路素子９等の電子部品を少なくとも有して構成されている。なお、温度特性抵抗素子７は、極希ではあるが、点灯回路の動作中に異常発熱する不良品が混入されるおそれがあるので、万が一発熱した時にカバー体２を溶融させないように、回路基板６の略中央位置に配置させている。また、カバー体２の溶融を防止するためにカバー体２、口金３および回路基板５で形成される空間の体積をＶ（m3）、温度特性抵抗素子７からカバー体２までの距離をｄ（ｍ）、発光管７に入力される電力をＷ（Ｗ）としたとき、電球形蛍光ランプ５０は、Ｗ／(Ｖ×ｄ)＜０．３の条件式を満足するように構成することが望ましい。０．３を超えると発熱した温度特性抵抗素子７によってカバー体２が溶融する可能性があるので好ましくない。  
【００２３】
図２は、第１の実施形態の電球形蛍光ランプの点灯回路を示す回路図である。
【００２４】
点灯回路５は、発光管１を点灯させるために、商用電源１５により駆動されるインバータ回路部１６を有している。発光管１の一端側にはインバータ回路部１６に直接接続されているフィラメント１８aが封装されるとともに、発光管１の他端側には限流用インダクタンス素子１７を介してインバータ回路部１６に接続されるフィラメント１８bが封装されている。発光管１の両端に設置されたフィラメント１８aと１８bの非電源側に、共振用コンデンサ１９がそれぞれ接続されており、共振用コンデンサ１９および発光管１と並列的に温度特性抵抗素子７が接続されている。すなわち、インバータ回路への通電開始直後は、温度正特性抵抗素子の抵抗値が小さく、ランプが始動することがない低い電圧が両フィラメント電極間に印加されつつ予熱電流が各フィラメント電極に流れて各フィラメント電極が予熱される。その後、温度正特性抵抗素子の自己発熱による温度上昇に伴い抵抗値が増加し、共振回路の共振成分が変動することによって共振電圧が上昇していく。そして、十分な熱電子放射が行われる程度に各インバータ回路がフィラメント電極を予熱するのに必要な時間が経過したときに、共振電圧がランプ始動可能な電圧まで上昇するように設計されているので、フィラメント電極が十分予熱されてからランプが始動、点灯することになる。
【００２５】
ここで、温度特性抵抗素子７は共振用コンデンサ１９と並列に接続されているので、温度特性抵抗素子７の接続が点灯回路５から切断されても発光管１は点灯を継続することができる。
【００２６】
図３は、本発明の第１の実施形態の電球形蛍光ランプの点灯装置１０を示す一部拡大断面図である。
【００２７】
温度特性抵抗素子７および温度特性抵抗素子７から導出されている第一のリード線１１、１１は、はんだ等の接着材からなる接続切断手段１２、１２によって点灯回路に接続された第二のリード線１３、１３に保持されている。温度特性抵抗素子７が異常発熱すると、温度特性抵抗素子７の温度が上昇し、温度特性抵抗素子７から導出された第一のリード線１１、１１に熱が伝わり、接続切断手段１２、１２も温度上昇するのでこれらのうち少なくとも一方が溶融する。はんだとしての接続切断手段１２、１２が溶融すると第一のリード線１１、１１と第二のリード線１３、１３との接続が切断され、温度特性抵抗素子７は点灯回路５から電気的に切り離されるので、温度特性抵抗素子７に電流が流れることがなくなり温度特性抵抗素子７の温度上昇が停止する。
【００２８】
温度特性抵抗素子７が異常発熱した後に、温度特性抵抗素子７に電流が流れ続けると、温度特性抵抗素子７の温度が約３００〜７００℃まで上昇する。一方、はんだの融点は一般に約１８０〜２２０℃なので、温度特性抵抗素子７からはんだまでの距離が１０ｍｍ以内である場合には、はんだが第一のリード線１１を介して熱伝導によって確実に溶融する。温度特性抵抗素子７からはんだまでの距離が１０ｍｍを超えるとはんだは溶融せずに残り、温度特性抵抗素子７が点灯回路から切り離されないことが実験によって確かめられた。
【００２９】
図４は、本発明の第２の実施形態の電球形蛍光ランプの点灯装置１０を示す一部拡大断面図である。第２の実施形態は温度特性抵抗素子７と比較的耐熱性の高い回路素子８、例えばインダクタンス素子とをシリコーン接着剤１４で接着したものであり、その他の構成は第１の実施形態と同一である。第一のリード線１１、１１がはんだ等の接着材からなる接続切断手段１２、１２のみによって保持されていると、接続切断手段１２、１２の両者が溶融して温度特性抵抗素子７が第二のリード線１３、１３から切り離されたときに、高温状態の温度特性抵抗素子７がカバー体２または回路基板６に接触し、溶融または発煙などの不具合を起こす可能性がある。そこで、温度特性抵抗素子７と比較的耐熱性の高い回路素子８とをシリコーン接着剤１４で接着している。これによって第一のリード線１１、１１が第二のリード線１３、１３から完全に切り離されたとしても、温度特性抵抗素子７は比較的耐熱性の高い回路素子８に保持されるので回路基板６やカバー体２に接触することがない。
【００３０】
温度特性抵抗素子７を比較的耐熱性の高い回路素子８に保持する手段としては耐熱性のバンドで温度特性抵抗素子７と比較的耐熱性の高い回路素子８とを保持する方法や、温度特性抵抗素子７と比較的耐熱性の高い回路素子８とを絶縁性のワイヤーで結束し固定する等の方法であってもよい。
【００３１】
図５は、本発明の第３の実施形態の電球形蛍光ランプの点灯装置１０を示す一部拡大断面図である。第３の実施形態は、接続切断手段を熱によって変形する動作を行う変形部材としたものであり、その他の構成については第１の実施形態と同一である。
【００３２】
温度特性抵抗素子７は、温度特性抵抗素子７から導出される一方のリード線２０aが回路基板６に取り付けられて点灯回路５と接続されるとともに、他方のリード線２０ｂが変形部材２１によって支持されている。回路基板６に接続された略Ｌ字状のリード線２０ｃの先端には接点２２が配設されている。リード線２０ｂは、その先端部が接点２２と接続するように変形部材２１によって保持されている。温度特性抵抗素子７が異常発熱によって温度上昇すると、変形部材２１はその先端側が回路基板６側に倒れる方向に変形し、リード線２０ｂと接点２２との接続を切り離すように動作する。変形部材２１が変形を開始する温度を１３０〜１８０℃にしておけば、通常点灯時は動作することなく異常発熱時にだけ温度特性抵抗素子７がリード線２０ｂの接続を切断するように動作させることができる。変形部材２１はバイメタルなどのように温度上昇に伴って変形する素材であればよいが、消灯後に接点２２との接続が復帰することは好ましくないので、形状記憶合金のように変形後の形状が復帰しない部材を用いるのが望ましい。
【００３３】
図６は、本発明の第４の実施形態を示す電球形蛍光ランプの点灯回路の回路図である。第４の実施形態は接続切断手段を温度ヒューズにしたものであり、その他の構成は第１の実施形態と同一である。
【００３４】
本実施形態の点灯装置は、温度特性抵抗素子の接続関係と、接続切断手段の構成とが図２の回路図とは異なっているので、異なる部分についてのみ詳述し、その他の説明は省略する。インバータ回路部１６には、フィラメント１８aの電源側およびインダクタコイル１７を介してフィラメント１８ｂの電源側がそれぞれ接続されている。接続切断手段としての温度ヒューズ２３は、温度特性抵抗素子７に直列接続されており、この直列体がフィラメント１８ｂの電源側とインダクタコイル１９の非電源側との間およびフィラメント１８aの電源側とインバータ回路部１６との間に接続されていて、共振用コンデンサ１９および蛍光ランプとしての発光管１に対して並列的に接続されている。温度ヒューズ２３は、温度特性抵抗素子７の異常発熱時の温度上昇により非導通となるので、温度特性抵抗素子７は点灯回路５から切断されることになり、それ以上温度上昇するのを防ぐことができる。また、このように構成することで温度ヒューズ２３が非導通となっても点灯回路５には電流が流れるので発光管１の点灯は継続させることができる。また、所定の温度で温度ヒューズが切断されるように設定しておくことで、温度特性抵抗素子７へ流れる電流を確実に遮断することができる。
【００３５】
図７は、本発明の第５の実施形態の電球形蛍光ランプの点灯装置１０の一部拡大断面図である。本実施形態は、温度特性抵抗素子７の異常発熱時に点灯回路の構成部品を破壊させて点灯回路の発振を停止させる構成に特徴を有するものである。なお、電球形蛍光ランプ全体の構成や基本回路構成は図１および図２に示すものと同一であるため、その詳細な説明は省略する。
【００３６】
温度特性抵抗素子７が異常発熱した場合、カバー体２が溶融等の不具合を防止する方法として、温度特性抵抗素子７が異常発熱したときに発生する熱を回路基板６に実装された比較的耐熱性の低い回路素子９に伝え比較的耐熱性の低い回路素子９を破壊すれば、点灯回路の発振を停止させることができる。このとき、破壊する対象の比較的耐熱性の低い回路素子９とは、例えば共振用コンデンサ、電界効果トランジスタ、電解コンデンサ等が挙げられる。これらは、耐熱性が低く、かつ破壊されると確実に発振が停止する素子である。
【００３７】
温度特性抵抗素子７から３ｍｍ以内の空間または温度特性抵抗素子７から導出されたリード線２５の温度特性抵抗素子７から１０ｍｍ以内の部位から３ｍｍ以内の空間に比較的耐熱性の低い回路素子９の少なくとも一部が位置するように配設されていると、温度特性抵抗素子７の異常発熱時の熱が熱伝導、対流または輻射によって比較的耐熱性の低い回路素子９へ伝わり、自己の温度が上昇して、熱破壊し、回路素子としての機能が停止し、点灯回路の発振が停止することが実験により確認された。  
【００３８】
本実施形態では、図７に示すように温度特性抵抗素子７の本体から３ｍｍ以内の空間に比較的耐熱性の低い回路素子９の少なくとも一部が配設されている。このように比較的耐熱性の低い回路素子９を配設すると、温度特性抵抗素子７の異常発熱時の温度上昇によって熱破壊されて機能が停止し、点灯回路５の発振を停止させることができる。
【００３９】
図８は、本発明の第６の実施形態の電球形蛍光ランプの点灯装置１０の一部拡大断面図である。
【００４０】
本実施形態では、温度特性抵抗素子７から導出されたリード線２５の温度特性抵抗素子７から１０ｍｍ以内の部位からの離間寸法が３ｍｍ以内の領域内に比較的耐熱性の低い回路素子９の少なくとも一部が位置するように、比較的耐熱性の低い回路素子９が配設されている。
【００４１】
温度特性抵抗素子７は、上述のとおりカバー体２の溶融を防止するために回路基板６中央に配設する必要があるが、本実施形態によれば、比較的耐熱性の低い回路素子９が温度特性抵抗素子７の周囲に配設されていない場合でも、リード線２５を利用して熱影響を与えることが可能となり、回路素子９を熱破壊させることが可能となる。
【００４２】
図９は、図７および図８の実施形態の変形例を示す一部拡大断面図である。図９に示すように温度特性抵抗素子７と比較的耐熱性の低い回路素子９とをシリコーン接着材１４で接着してもよい。この構成にすることで、異常発熱した温度特性抵抗素子７の熱を熱伝導性の高いシリコーン接着材１２によって回路素子９に伝えることができ、回路素子９の働きを確実に停止させることで、点灯回路５の発振を停止させることができる。
【００４３】
図１０ないし図１１を参照して本発明の第７の実施形態を説明する。図１０は、本実施形態の電球形蛍光ランプの点灯装置１０の一部拡大断面図である。図１１は、本実施形態の温度特性抵抗素子７と電界効果トランジスタとの接続関係を示す回路図の一部である。図１２は本実施形態の電球形蛍光ランプの点灯装置１０の一部拡大下面図である。なお、本実施形態は第５および第６の実施形態と同様に温度特性抵抗素子の温度上昇によって点灯回路の発振を停止させるものであり、破壊させる対象を電界効果トランジスタとした点に特徴を有している。
【００４４】
温度特性抵抗素子７は回路基板６の一方の主面側に配設され、温度特性抵抗素子７から導出されたリード線２５が回路基板６にあらかじめ形成された挿孔を介して回路基板６の他方の主面に形成された接続ランド２７にはんだ２８で接続されている。このランド２７の隣りには電界効果トランジスタ２６の接続端子の一部であるドレーン２６Ｄの接続ランド２９が形成されている。このランド２９に電界効果トランジスタ２６のドレーン２６Ｄが接続されることで、リード線２５とドレーン２６Ｄとが配線パターン３０を介して電気的に接続されている。温度特性抵抗素子７は発光管１に対して並列的に接続されておりその一端のリード線２５が電界効果トランジスタ２６のドレーン２６Ｄと同電位で接続されている。ゲート２６Ｇ、ソース２６Ｓは回路基板に配線されたパターンを介して点灯回路素子に接続される。
【００４５】
次に本実施形態の作用について説明する。温度特性抵抗素子７が異常発熱により温度上昇すると、温度特性抵抗素子７からリード線２５およびランド２７、２９およびこれらを結ぶ配線パターン３０を介して電界効果トランジスタ２６のドレーン２６Ｄに過剰な熱が伝わる。リード線２５と電界効果トランジスタ２６のドレーン２６Ｄとを接続する配線パターン３０は、主電流が流れるため比較的面積が大きめに形成されている。このため温度特性抵抗素子７から異常発熱時に発生する熱が電界効果トランジスタ２６のドレーン２６Ｄに伝わりやすい。ランド２９に接続されるドレーン２６Ｄは電界効果トランジスタ２６のパッドであり、ランド２８との接触部を広くすることができるので効率よく電界効果トランジスタ２６に熱を伝えることができる。ここで、温度特性抵抗素子７のランド２７とドレーン２６Ｄをはんだ等の導電性物質で接続して熱伝導性を向上させてもよい。
【図面の簡単な説明】
【００４６】
【図１】本発明による実施形態の電球形蛍光ランプの構成を示す断面図である。
【図２】本発明の第１、第２および第３の実施形態を示す電球形蛍光ランプの点灯回路の回路図である。
【図３】本発明の第１の実施形態の電球形蛍光ランプの点灯装置の一部拡大断面図である。
【図４】本発明の第２の実施形態の電球形蛍光ランプの点灯装置の一部拡大断面図である。
【図５】本発明の第３の実施形態の電球形蛍光ランプの点灯装置の一部拡大断面図である。
【図６】本発明の第４の実施形態を示す電球形蛍光ランプの点灯回路の回路図である。
【図７】本発明の第５の実施形態の電球形蛍光ランプの点灯装置の一部拡大断面図である。
【図８】本発明の第６の実施形態の電球形蛍光ランプの点灯装置の一部拡大断面図である。
【図９】本発明の第５、６の実施形態の変形例を示す一部拡大断面図である。
【図１０】本発明の第７の実施形態の電球形蛍光ランプの点灯装置の一部拡大断面図である。
【図１１】本発明の第７の実施形態の電球形蛍光ランプの点灯回路を示す回路図の一部である。
【図１２】本発明の第７の実施形態の電球形蛍光ランプの点灯装置の一部拡大下面図である。
【符号の説明】
【００４７】
１    発光管
２   カバー体
３   口金  
５   点灯回路
７  温度特性抵抗素子
１０  点灯装置
１２  接着材
２１  変形部材
２３  温度ヒューズ
２６  電界効果トランジスタ
【図１】
2007095475.tif 000003
【図２】
2007095475.tif 000004
【図３】
2007095475.tif 000005
【図４】
2007095475.tif 000006
【図５】
2007095475.tif 000007
【図６】
2007095475.tif 000008
【図７】
2007095475.tif 000009
【図８】
2007095475.tif 000010
【図９】
2007095475.tif 000011
【図１０】
2007095475.tif 000012
【図１１】
2007095475.tif 000013
【図１２】
2007095475.tif 000014